(57)【要約】【課題】網膜走査型ヘッドマウントディスプレイの製造効率の向上を図る。【解決手段】検査用画像データが記憶された記憶部と、前記検査用画像データに基づいた画像用レーザ光線を生成するレーザ光源を有し、前記画像用レーザ光線によって、被検者の眼球の網膜へ検査用画像を投影するレーザ照射部と、前記画像用レーザ光線を前記被検者の眼球内で収束させる光学部材と、前記被検者の眼球と、前記レーザ光源との位置関係を示すパラメータ情報を取得するパラメータ取得部と、前記パラメータ情報を出力する出力部と、を有する。【選択図】図２
2018102723.tif 000002
【特許請求の範囲】
【請求項１】
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記被検者の眼球と、前記レーザ光源との位置関係を示すパラメータ情報を取得するパラメータ取得部と、
前記パラメータ情報を出力する出力部と、を有する網膜走査型検眼装置。
【請求項２】
前記被検者による操作を受け付ける操作受付部と、
前記操作に応じて、前記レーザ照射部の位置を移動及び／又は回転させる機構制御部と、
を有し、
前記パラメータ情報は、少なくとも、前記画像用レーザ光線が収束する点を通る軸を中心とした回転角度を含む、請求項１記載の網膜走査型検眼装置。
【請求項３】
前記被検者から、前記検査用画像を視認した結果の入力を受け付ける入力部を有し、
前記出力部は、前記被検者が視認した結果を示す検眼結果情報を出力する、請求項１又は２記載の網膜走査型検眼装置。
【請求項４】
被検者の検眼を行う網膜走査型検眼装置と、前記網膜走査型検眼装置と接続される管理装置と、を有する網膜走査型検眼システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記被検者の眼球と、前記レーザ光源との位置関係を示すパラメータ情報を取得するパラメータ取得部と、
前記パラメータ情報を、前記管理装置に出力する出力部と、を有し、
前記管理装置は、
前記パラメータ情報を端末装置へ送信するパラメータ送信部を有する、網膜走査型検眼システム。
【請求項５】
前記網膜走査型検眼装置は、
前記被検者から、前記検査用画像を視認した結果の入力を受け付ける入力部を有し、
前記出力部は、前記被検者が視認した結果を示す検眼結果情報を前記管理装置に出力し、
前記管理装置は、
前記検眼結果情報に基づき、前記被検者の眼球の状態を示す眼球状態情報を出力する眼球状態検出部と、
前記パラメータ情報と、前記検眼結果情報と、前記眼球状態情報とを対応付けた結果情報を記憶領域に格納する結果格納部と、を有する、請求項４記載の網膜走査型検眼システム。
【請求項６】
前記管理装置は、
前記被検者のユーザ情報の入力を受け付けるユーザ情報取得部と、
前記ユーザ情報から、前記被検者の属性を判定する属性判定部と、
属性と、画像データの取得元とが対応付けられたテーブルを参照し、前記被検者の属性と対応する画像データの取得元を特定する取得元特定部と、
特定された取得元から、前記属性と対応する画像データを取得する対応画像取得部と、
取得した画像データを加工して検査用画像データを生成する画像加工部と、
前記画像加工部により生成された検査用画像データを前記網膜走査型検眼装置へ出力する画像データ出力部と、を有する請求項５記載の網膜走査型検眼システム。
【請求項７】
前記結果格納部は、
前記結果情報を前記ユーザ情報と対応付けて前記記憶領域に格納する請求項６記載の網膜走査型検眼システム。
【請求項８】
網膜走査型検眼装置による網膜走査型検眼方法であって、前記網膜走査型検眼装置が、
記憶部に記憶された検査用画像データに基づいて、レーザ光源から画像用レーザ光線を生成し、
前記画像用レーザ光線によって、検査用画像を被検者の眼球の網膜へ投影し、
前記画像用レーザ光線を前記被検者の眼球内で収束させ、
前記被検者の眼球と、前記レーザ光源との位置関係を示すパラメータ情報を取得し、
前記パラメータ情報を出力する、網膜走査型検眼方法。
【請求項９】
被検者の検眼を行う網膜走査型検眼装置と、前記網膜走査型検眼装置と接続される管理装置と、を有する網膜走査型検眼システムによる網膜走査型検眼方法であって、
前記網膜走査型検眼装置が、
記憶部に記憶された検査用画像データに基づいて、レーザ光源から画像用レーザ光線を生成し、
前記画像用レーザ光線によって、検査用画像を被検者の眼球の網膜へ投影し、
前記画像用レーザ光線を前記被検者の眼球内で収束させ、
前記被検者の眼球と、前記レーザ光源との位置関係を示すパラメータ情報を取得し、
前記パラメータ情報を前記管理装置へ出力し、
前記管理装置が、
前記パラメータ情報を端末装置へ送信する、網膜走査型検眼方法。
【請求項１０】
被検者の検眼を行う網膜走査型検眼装置と、前記網膜走査型検眼装置と通信を行う端末装置と、を有するアイウェア提供システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記被検者の眼球と、前記レーザ光源との位置関係を示すパラメータ情報を取得するパラメータ取得部と、
前記パラメータ情報を、前記端末装置に出力する出力部と、を有するアイウェア提供システム。
【請求項１１】
被検者の検眼を行う網膜走査型検眼装置と、前記網膜走査型検眼装置と接続される管理装置と、前記管理装置と通信を行う端末装置と、を有するアイウェア提供システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記被検者の眼球と、前記レーザ光源との位置関係を示すパラメータ情報を取得するパラメータ取得部と、
前記パラメータ情報を、前記管理装置に出力する出力部と、を有し、
前記管理装置は、
前記パラメータ情報を前記端末装置へ送信するパラメータ送信部を有する、アイウェア提供システム。
【請求項１２】
前記端末装置は、
網膜走査型ヘッドマウントディスプレイの製造装置と接続される端末装置である、請求項１０又は１１記載のアイウェア提供システム。
【請求項１３】
被検者の検眼を行う網膜走査型検眼装置と、前記網膜走査型検眼装置と通信を行う端末装置と、を有するアイウェア提供システムによるアイウェア提供方法であって、
前記網膜走査型検眼装置が、
記憶部に記憶された検査用画像データに基づいて、レーザ光源から画像用レーザ光線を生成し、
前記画像用レーザ光線によって、検査用画像を被検者の眼球の網膜へ投影し、
前記画像用レーザ光線を前記被検者の眼球内で収束させ、
前記被検者の眼球と、前記レーザ光源との位置関係を示すパラメータ情報を取得し、
前記パラメータ情報を前記端末装置へ出力する、アイウェア提供方法。
【請求項１４】
被検者の検眼を行う網膜走査型検眼装置と、前記網膜走査型検眼装置と接続される管理装置と、前記管理装置と通信を行う端末装置と、を有するアイウェア提供システムによるアイウェア提供方法であって、
前記網膜走査型検眼装置が、
記憶部に記憶された検査用画像データに基づいて、レーザ光源から画像用レーザ光線を生成し、
前記画像用レーザ光線によって、検査用画像を被検者の眼球の網膜へ投影し、
前記画像用レーザ光線を前記被検者の眼球内で収束させ、
前記被検者の眼球と、前記レーザ光源との位置関係を示すパラメータ情報を取得し、
前記パラメータ情報を前記管理装置へ出力し、
前記管理装置が、
前記パラメータ情報を前記端末装置へ送信する、アイウェア提供方法。
【請求項１５】
被検者の検眼を行う網膜走査型検眼装置と、前記網膜走査型検眼装置と接続される管理装置と、前記管理装置と通信を行う端末装置と、を有するアイウェア提供システムによるアイウェア提供方法であって、
前記管理装置が、
前記被検者を特定するためのユーザ情報の入力を受け付けて、前記網膜走査型検眼装置に検眼を開始させ、
前記網膜走査型検眼装置が、
記憶部に記憶された検査用画像データに基づいて、レーザ光源から画像用レーザ光線を生成し、
前記画像用レーザ光線によって、検査用画像を前記被検者の眼球の網膜へ投影し、
前記画像用レーザ光線を前記被検者の眼球内で収束させ、
前記被検者の眼球と、前記レーザ光源との位置関係を示すパラメータ情報を取得し、
前記パラメータ情報を前記管理装置へ出力し、
前記管理装置が、
前記パラメータ情報を前記端末装置へ送信し、
前記端末装置が、
前記パラメータ情報に基づき、網膜走査型アイウェアの有するレーザ光源の位置を設定する、アイウェア提供方法。
【請求項１６】
光線を出射する光源部と、
画像データを入力する画像入力部と、
入力された前記画像データに基づいた画像用光線を生成して、前記光源部からの前記画像用光線の出射制御を行う制御部と、
前記画像用光線を走査する走査ミラーと、
前記画像用光線を、前記画像データが表す画像として、利用者の眼球の網膜に投影する投影部と、を有し、
前記光源部の位置が、
網膜走査型検眼装置において、レーザ光線によって、検査用画像を前記利用者の眼球の網膜へ投影し、前記レーザ光線を前記利用者の眼球内で収束させて取得した、前記利用者の眼球と、前記レーザ光線を出射するレーザ光源との位置関係を示すパラメータ情報に基づき決められた、網膜走査型アイウェア。
【発明の詳細な説明】
【技術分野】
【０００１】
本発明は、網膜走査型検眼装置、網膜走査型検眼システム、網膜走査型検眼方法、網膜走査型アイウェア提供システム、網膜走査型アイウェア提供方法及び網膜走査型アイウェアに関する。
【背景技術】
【０００２】
従来から、眼鏡等を作成する場合、検眼器や検眼装置等により各種の検眼が行われる。この検眼では、検査画像を表示させ、検査画像を被検者に視認させる手法が知られている（特許文献１）。また、従来では、眼鏡等の販売者が、眼鏡のレンズやフレームを作成するために必要となる利用者毎のデータを取得し、このデータを眼鏡の加工工場へ送ることが知られている（特許文献２）。
【０００３】
ところで、近年では、マクスウェル視を利用した網膜走査型ヘッドマウントディスプレイが知られている。マクスウェル視とは、画像データに基づく画像用光線を一旦瞳孔の中心で収束させてから網膜上に投影することで、人の水晶体の調節機能に影響されずに人に、画像データが表す画像を視認させる方法である。
【０００４】
この網膜走査型ヘッドマウントディスプレイを製造する場合には、利用者の眼球の状態に応じて、利用者毎の様々なパラメータが必要となる。このため、網膜走査型ヘッドマウントディスプレイを製造・販売する場合には、例えば、利用者に網膜走査型ヘッドマウントディスプレイを試着させ、利用者のパラメータを取得し、取得したパラメータに基づきカスタマイズする、といった手順となる。
【先行技術文献】
【特許文献】
【０００５】
【特許文献１】特開２００２−１３０４９５号公報
【特許文献２】特開２００２−１６２６０７号公報
【発明の概要】
【発明が解決しようとする課題】
【０００６】
上述した網膜走査型ヘッドマウントディスプレイの製造・販売の方法は、その手順が煩雑であるため、効率化が望まれている。
【０００７】
しかしながら、上述した従来の眼鏡の販売の手法では、レンズやフレームに関するデータしか取得することができず、画像を利用者の網膜上に投影するために必要となるパラメータを取得することができない。また、従来の検眼の手法では、例えば被検者の前眼部に疾患のある場合等には、網膜まで含めた検査を行うことができない、といった問題もある。
【０００８】
開示の技術は、上記事情に鑑みて成されたものであり、網膜走査型ヘッドマウントディスプレイの製造効率の向上を図ることを目的としている。
【課題を解決するための手段】
【０００９】
開示の技術は、検査用画像データが記憶された記憶部と、前記検査用画像データに基づいた画像用レーザ光線を生成するレーザ光源を有し、前記画像用レーザ光線によって、被検者の眼球の網膜へ検査用画像を投影するレーザ照射部と、前記画像用レーザ光線を前記被検者の眼球内で収束させる光学部材と、前記被検者の眼球と、前記レーザ光源との位置関係を示すパラメータ情報を取得するパラメータ取得部と、前記パラメータ情報を出力する出力部と、を有する網膜走査型検眼装置である。
【発明の効果】
【００１０】
網膜走査型ヘッドマウントディスプレイの製造効率の向上を図る。
【図面の簡単な説明】
【００１１】
【図１】第一の実施形態の検眼装置について説明する図である。
【図２】第一の実施形態のアイウェア提供システムのシステム構成の一例を示す図である。
【図３】検眼装置のハードウェア構成の一例を示す図である。
【図４】レーザ照射部の構成を説明する図である。
【図５】接眼装置の構成を説明する図である。
【図６】検眼装置の機能を説明する図である。
【図７】第一の実施形態の検査用画像の一例を示す図である。
【図８】第一の実施形態のパラメータ情報の一例を示す図である。
【図９】第一の実施形態の検眼結果情報の一例を示す図である。
【図１０】第一の実施形態の検眼装置の処理を説明するフローチャートである。
【図１１】第二の実施形態のアイウェア提供システムのシステム構成の一例を示す図である。
【図１２】管理装置のハードウェア構成の一例を示す図である。
【図１３】第二の実施形態のアイウェア提供システムの有する各装置の機能を説明する図である。
【図１４】第二の実施形態のユーザ情報データベースの一例を示す図である。
【図１５】第二の実施形態の属性対応データベースの一例を示す図である。
【図１６】第二の実施形態の画像の加工を説明する図である。
【図１７】第二の実施形態のアイウェア提供システムの動作を説明するシーケンス図である。
【図１８】第二の実施形態の管理装置の処理を説明するフローチャートである。
【図１９】第二の実施形態の端末装置の処理を説明するフローチャートである。
【図２０】第三の実施形態のアイウェア提供システムのシステム構成の一例を示す図である。
【図２１】網膜走査型アイウェアの構造を説明する図である。
【図２２】アイウェアに対する瞳孔間距離の適用について説明する図である。
【発明を実施するための形態】
【００１２】
（第一の実施形態）
以下に、図面を参照して第一の実施形態について説明する。図１は、第一の実施形態の検眼装置について説明する図である。
【００１３】
本実施形態の検眼装置１０は、網膜走査型の検眼装置である。具体的には、本実施形態の検眼装置１０は、検査用画像データを保持しており、この検査用画像データに基づいたレーザ光線を被検者Ｐの網膜へ照射することで、検査用画像を被検者Ｐの網膜に投射する。次に、検眼装置１０は、被検者Ｐから、検眼装置１０のレーザ照射部の位置を調整するための操作や、検査用画像の視認の仕方を示す情報等の入力を受け付ける。
【００１４】
そして、検眼装置１０は、入力された情報に基づき、被検者Ｐの網膜に画像を投影させるためのパラメータ情報を生成し、出力する。また、本実施形態の検眼装置１０は、入力された情報に基づき、被検者Ｐの検眼結果情報を生成し、保持又は出力しても良い。
【００１５】
被検者Ｐのパラメータ情報とは、例えば、被検者Ｐの瞳孔間距離、視野、レーザ照射部から収束点までの距離、レーザ光源から出射されたレーザ光線の角度等を含む情報である。言い換えれば、本実施形態のパラメータ情報は、被検者Ｐの網膜において、レーザ光線により走査された領域を示す情報である。また、検眼結果情報とは、被検者Ｐの検眼の結果を示す情報であり、言い換えれば、検眼結果情報は、被検者Ｐの眼球の状態を示す情報である。パラメータ情報と検眼結果情報の詳細は後述する。
【００１６】
本実施形態の検眼装置１０は、例えば、台座２０等に設置され、被検者Ｐが検眼装置１０の接眼装置の中を除くように眼球を近づけた状態で、検眼が行われる。尚、図１の例では、被検者Ｐが椅子に着席して検眼を行う例を示しているが、これに限定されない。被検者Ｐは、起立した状態で検眼を行っても良い。
【００１７】
本実施形態の検眼装置１０は、例えば、網膜走査型ヘッドマウントディスプレイ（以下、アイウェア）が販売される店舗や、病院（眼科等）に設置されても良い。また、本実施形態の検眼装置１０は、例えは、体育館やスポーツジム、商業施設等に設置されても良い。本実施形態の検眼装置１０は、被検者Ｐが検眼を行うことができる場所であれば、どのような場所に設置されても良い。
【００１８】
次に、図２を参照して本実施形態の検眼装置１０を用いた網膜走査型アイウェア提供システムについて説明する。尚、以下の説明では、網膜走査型アイウェア提供システムを単にアイウェア提供システムと呼ぶ。図２は、第一の実施形態のアイウェア提供システムのシステム構成の一例を示す図である。
【００１９】
本実施形態のアイウェア提供システム１００は、検眼装置１０と、端末装置３０と、を有する。検眼装置１０と、端末装置３０とは、ネットワーク等を介して通信が行われる。
【００２０】
本実施形態のアイウェア提供システム１００において、検眼装置１０は、被検者Ｐのパラメータ情報４０を取得すると、取得したパラメータ情報４０を端末装置３０へ送信する。
【００２１】
本実施形態の端末装置３０は、例えば、アイウェア５０の製造を行う製造装置を制御する端末装置であっても良い。アイウェア５０は、網膜走査型ヘッドマウントディスプレイである。この場合、端末装置３０は、アイウェア５０の製造工程において、パラメータ情報４０を読み出し、パラメータ情報４０に基づいてアイウェア５０における各種のパーツの取り付けや設定等をアイウェア５０の製造装置に行わせても良い。
【００２２】
また、本実施形態の端末装置３０は、例えば、アイウェア５０の販売を行う店舗等に配置されており、顧客情報と共にパラメータ情報４０を保管し、管理するような端末装置であっても良い。この場合、端末装置３０は、例えば、アイウェア５０の発注を受け付けたとき、アイウェア５０の利用者のパラメータ情報４０をアイウェア５０の製造工場等へ渡せばよい。
【００２３】
本実施形態では、このように、検眼を行うだけで、アイウェア５０を利用者毎にカスタマイズするために必要となるパラメータ情報を取得することができ、アイウェア５０の製造に利用することができる。したがって、本実施形態によれば、アイウェア５０の製造効率を向上させることができる。
【００２４】
さらに、本実施形態の端末装置３０は、例えば、検眼を行った被検者Ｐが所持している端末装置であっても良い。さらには、本実施形態の端末装置３０は、アイウェア５０と接続される制御装置であっても良い。このように、利用者が有する端末装置やアイウェア５０に利用者のパラメータ情報４０を保管しておけば、例えばアイウェア５０の買い換えや、修理等の際に、このパラメータ情報を用いることができる。
【００２５】
次に、図３を参照して、本実施形態の検眼装置１０について説明する。図３は、検眼装置のハードウェア構成の一例を示す図である。
【００２６】
本実施形態の検眼装置１０は、入力装置１１、出力装置１２、演算処理装置１３、記憶装置１４、機構制御装置１５、接眼装置１６、操作装置１７を有する。
【００２７】
入力装置１１は、検眼装置１０に対する各種の情報を受け付ける。入力装置１１は、例えば、検眼装置１０に対する指示を行う操作部材やキーボード等や、検眼装置１０に対して送信された情報を受信する受信装置等も含む。
【００２８】
出力装置１２は、検眼装置１０から各種の情報を出力する。出力装置１２は、例えば、検眼装置１０において取得された情報を外部装置へ送信する送信装置や、検眼装置１０による各種の処理の結果を表示させるディスプレイ等も含む。
【００２９】
演算処理装置１３は、検眼装置１０全体の制御を司るＣＰＵ（Central Processing Unit）等により実現される。記憶装置１４は、演算処理装置１３において実行される各種のプログラム、検査用画像データ等を格納する。また、記憶装置１４は、検眼の結果として取得されるパラメータ情報や検眼結果情報等を保持する。
【００３０】
機構制御装置１５は、操作装置１７による操作を受けて、検眼装置１０が有する接眼装置１６が有する各種の機構の動作を制御する。また、機構制御装置１５は、演算処理装置１３が記憶装置１４から読み出した検査用画像データを、接眼装置１６へ出力する。
【００３１】
接眼装置１６は、レーザ照射部６０を有し、レーザ照射部６０から照射されるレーザ光線を被検者の所望の位置へ照射させるために、レーザ照射部６０を移動させる機構を有する。レーザ照射部６０は、機構制御装置１５から入力される検査用画像データに基づき、検査画像を被検者Ｐの網膜に投影させるように、レーザ光線を照射する。接眼装置１６とレーザ照射部６０の詳細は後述する。操作装置１７は、接眼装置１６におけるレーザ照射部６０の位置を調整するための操作に用いられる。
【００３２】
次に、図４を参照して、本実施形態のレーザ照射部６０の構成について説明する。図４
は、レーザ照射部の構成を説明する図である。
【００３３】
本実施形態のレーザ照射部６０は、レーザ光源６２、ＭＥＭＳ（Micro Electro Mechanical Systems）ミラー６３、ミラー６４、タブレットレンズ６５、ミラー６６、ミラー６７、集光レンズ６８を有する。
【００３４】
レーザ光源６２は、検査用画像データに基づき、検査用画像を眼球Ｅの網膜に投影させるように、レーザ光線Ｌを照射する。ＭＥＭＳミラー６３は、検査用画像データに基づく制御によって、レーザ光線Ｌを垂直方向と水平方向に走査する。
【００３５】
ＭＥＭＳミラー６３によって走査されたレーザ光線Ｌは、ミラー６４によって反射されてタブレットレンズ６５に入射される。タブレットレンズ６５を透過したレーザ光線Ｌは、ミラー６６、６７によって必要な方向に偏光され、集光レンズ６８に入射される。つまり、本実施形態では、タブレットレンズ６５と集光レンズ６８とにレーザ光線Ｌが集光され、レーザ照射部６０から被検者Ｐの眼球Ｅに向かって照射される。このとき、集光されたレーザ光線Ｌは、眼球Ｅの水晶体の略中心部であるレーザ収束点Ｆで収束するように集光される。集光レンズ６８の眼球Ｅ側の表面からレーザ収束点Ｆまでの距離は、通常は５ｍｍから７ｍｍ程度に設定される。
【００３６】
尚、図４は、レーザ照射部６０が有する光学系の一例であり、これに限定されない。ミラーや集光レンズの数や配置等は、接眼装置１６の構成によって変更されて良い。
【００３７】
次に、図５を参照して、本実施形態の接眼装置１６について説明する。図５は、接眼装置の構成を説明する図である。図５（Ａ）は、接眼装置１６を中央部分で分断した場合の右側部分の斜視図を示す。図５（Ｂ）は、図５（Ａ）を矢印Ａ方向から見た場合の正面図を示す。図５（Ｃ）は、図５（Ａ）の底面図を示す。本実施形態の接眼装置１６は、左側部分の構成は、右側部分の構成を左右に判定させたものであり、同様の構成を有する。
【００３８】
本実施形態の接眼装置１６は、レーザ照射部６０、台座７０、Ｘ軸駆動モータ７１、Ｙ軸駆動モータ７２、Ｚ軸駆動モータ７３、Ｘ軸回転モータ７４、Ｙ軸回転モータ７５を有する。
【００３９】
レーザ照射部６０は、台座７０において、Ｘ軸駆動モータ７１、Ｙ軸駆動モータ７２、Ｚ軸駆動モータ７３のそれぞれによって、紙面に示すＸ軸方向、Ｙ軸方向、Ｚ軸方向のそれぞれに移動可能に支持されている。また、レーザ照射部６０は、台座７０において、Ｘ軸回転モータ７４、Ｙ軸回転モータ７５によって、紙面に示すＸ軸、Ｙ軸のそれぞれを中心に回転可能に支持されている。
【００４０】
レーザ照射部６０は、例えば、操作装置１７による操作に応じて、Ｘ軸駆動モータ７１、Ｙ軸駆動モータ７２、Ｚ軸駆動モータ７３のそれぞれが駆動され、Ｘ軸方向、Ｙ軸方向、Ｚ軸方向へ移動される。また、レーザ照射部６０は、操作装置１７による操作に応じて、Ｘ軸回転モータ７４、Ｙ軸回転モータ７５が駆動され、Ｘ軸、Ｙ軸のそれぞれを中心に回転する。このＸ軸の回転中心軸上に収束点Ｆが存在し、Ｙ軸の回転中心軸上に収束点Ｆが存在する。すなわち、レーザ収束点ＦがＸ軸回転軸、Ｙ軸回転軸の交点となり、Ｘ軸、Ｙ軸は収束点Ｆを中心に回転することとなる。
【００４１】
本実施形態では、例えば、初期状態からのＸ軸方向の移動距離、Ｙ軸方向の移動距離、Ｚ軸方向の移動距離、Ｘ軸を中心とした回転角度、Ｙ軸を中心とした回転角度等を、パラメータ情報として取得しても良い。
【００４２】
つまり、本実施形態では、レーザ収束点Ｆに対してのＸ軸およびＹ軸の回転角度がパラメータ情報となる。
【００４３】
Ｘ軸方向の移動距離は、瞳孔間距離の算出に用いられる。具体的には、Ｘ軸方向の移動距離と、接眼装置１６の左側部分のＸ軸方向の移動距離との和が、瞳孔間距離となる。また、Ｙ軸方向の移動距離は、例えば、被検者Ｐの顔における眼球の位置によって変化すると考えられる。また、Ｚ軸方向の移動距離は、例えば、被検者Ｐの鼻や額、眉間の形状等によって変化すると考えられる。
【００４４】
ここで、レーザ照射部６０をＸ軸方向、Ｙ軸方向、Ｚ軸方向に移動させても、集光レンズ６８の眼球Ｅ側の表面からレーザ収束点Ｆまでの距離は変化しない。
【００４５】
さらに、Ｘ軸を中心とした回転角度とＹ軸を中心とした回転角度は、被検者Ｐのまぶたや睫毛の状態や、被検者Ｐの網膜における検査用画像が投影される位置等によって変化すると考えられる。
【００４６】
検眼においては、被検者Ｐに、最も検査用画像が見えやすくなるように、レーザ照射部６０の位置を調整させる。被検者Ｐは、レーザ照射部６０から出射されたレーザ光線が被検者Ｐの瞳孔を通過し、網膜に照射されたとき、検査用画像を視認する。したがって、本実施形態では、被検者Ｐに、最も検査用画像が見えやすくなるように、接眼装置１６におけるレーザ照射部６０の位置を調整させることで、レーザ光源６２と被検者Ｐの眼球との最適な位置関係を示すパラメータ情報を取得できる。
【００４７】
本実施形態のアイウェア提供システム１００では、このパラメータ情報が示す、レーザ光源と被検者Ｐの眼球との位置関係を、アイウェアのレーザ光源とアイウェアの利用者の眼球との位置関係に反映させる。つまり、本実施形態のアイウェア提供システム１００では、アイウェアを利用しようとしている利用者に対して、検眼装置１０を用いた検眼を行わせてパラメータ情報を取得し、このパラメータ情報を用いて、この利用者のアイウェアのカスタマイズを行う。
【００４８】
本実施形態では、このようにパラメータ情報を用いることで、例えば、アイウェアの製造工程において、利用者にアイウェアを試着させ、レーザ光源の位置を手作業で調整する、といった煩雑な工程を省くことができる。
【００４９】
次に、図６を参照して、本実施形態の検眼装置１０の機能構成について説明する。図６は、検眼装置の機能を説明する図である。
【００５０】
本実施形態の検眼装置１０は、検眼処理部１１０を有する。検眼処理部１１０は、演算処理装置１３が記憶装置１４に格納されたプログラムを読み出して実行することで実現される。
【００５１】
本実施形態の検眼処理部１１０は、入力受付部１１１、画像データ読出部１１２、画像投影部１１３、パラメータ取得部１１４、検眼結果取得部１１５、出力部１１６、記憶部１１７を有する。
【００５２】
入力受付部１１１は、検眼装置１０に対する各種の入力を受け付ける。具体的には、入力受付部１１１は、検眼装置１０に対する検眼開始要求や、操作装置１７による操作指示等を受け付ける。
【００５３】
画像データ読出部１１２は、記憶部１１７に格納された検査用画像データを読み出す。画像投影部１１３は、読み出された検査用画像データに従って、レーザ照射部６０によりレーザ光線Ｌを照射させ、被検者Ｐの網膜に検査用画像を投影させる。
【００５４】
パラメータ取得部１１４は、操作装置１７からの操作に応じて、機構制御装置１５が保持している接眼装置１６のパラメータ情報を取得する。
【００５５】
検眼結果取得部１１５は、検査用画像を被検者Ｐの網膜に投影させ、被検者Ｐに対して検眼を行った結果を示す情報を取得する。
【００５６】
ここで、検眼結果取得部１１５による検眼結果情報の取得の仕方について説明する。本実施形態の検眼装置１０では、例えば、検眼装置１０の出力装置（ディスプレイ）１２等に、検査用画像を表示させ、視認できた領域を被検者Ｐに入力させても良い。また、被検者Ｐが、検眼装置１０に眼球を近づけた状態で、検眼結果を入力することが困難である場合には、検眼装置１０への入力を検査補助者に依頼しても良い。この場合には、例えば、被検者Ｐは、視認できた文字を読み上げる等して、文字が読めた領域を検査補助者に伝えれば良い。さらに、検眼装置１０が音声入力部（マイク等）と、音声認識機能を有する場合には、被検者Ｐが視認できた文字を読み上げることで、被検者Ｐの音声により直接検眼結果を入力することができる。
【００５７】
出力部１１６は、取得したパラメータ情報を端末装置３０へ送信する。また、出力部１１６は、取得した検眼検査情報等を記憶部に格納されても良い。
【００５８】
記憶部１１７は、例えば、記憶装置１４等に設けられた記憶領域であり、検査用画像データ１１８と、パラメータ情報１１９と、検眼結果情報１２０とが記憶されている。検査用画像データ１１８は、予め記憶部１１７に格納されていても良い。パラメータ情報１１９と検眼結果情報１２０とは、検眼が行われた後に一時的に保持されるものであっても良い。
【００５９】
次に、図７乃至図９を参照し、記憶部１１７に格納されている情報について説明する。図７は、第一の実施形態の検査用画像の一例を示す図である。
【００６０】
本実施形態の検査用画像７１１は、検査用画像データ１１８に基づき照射されるレーザ光線により、被検者Ｐの網膜に投影される。
【００６１】
検査用画像７１１は、複数の領域に分割されており、各領域の中には、各領域を特定するための識別子が付与されている。図７の例では、検査用画像７１１は、９つの領域に分割されており、各領域内に、各領域を識別するための識別子が付与されている。
【００６２】
本実施形態では、例えば、この検査用画像７１１において、識別番号１〜９のうち、視認できない識別番号がある被検者は、網膜において、その識別番号により特定される領域と対応付く領域の視野が欠損していると判定される。
【００６３】
尚、図７では、検査用画像７１１は９つの領域に分割されたものとしているが、これに限定されない。検査用画像７１１を分割する数は、任意であって良い。また、図７では、検査用画像７１１は、９つの矩形の領域に分割されているが、これに限定されない。検査用画像７１１は、どのような形状の領域に分割されても良い。また、図７では、検査用画像７１１の各領域を特定する識別子は、数字としているが、これに限定されない。領域を特定する識別子は、数字でなくても良く、文字やイラスト等であっても良い。
【００６４】
また、検査用画像は、図７に示すような画像に限定されない。例えば、検査用画像は、砂嵐画像やランドルト環、ＥＴＤＲＳ視力表、アムスラーチャート等であっても良い。
【００６５】
図８は、第一の実施形態のパラメータ情報の一例を示す図である。本実施形態のパラメータ情報１１９は、例えば、瞳孔間距離、Ｘ軸を中心とした回転角度、Ｙ軸を中心とした回転角度を含む。図８では図示していないが、Ｘ軸方向、Ｙ軸方向、Ｚ軸方向のそれぞれの移動距離等も含まれて良い。
【００６６】
図９は、第一の実施形態の検眼結果情報の一例を示す図である。本実施形態の検眼結果情報１２０は、例えば、検査用画像７１１において、被検者Ｐに視認された領域の識別子と、被検者Ｐに視認されなかった領域の識別子と、を含む。本実施形態では、これらの識別子から、被検者Ｐに視野の欠損が存在するか否かの判断が可能となる。
【００６７】
図９の例では、被検者Ｐに視認された領域の識別子が「２，３，５，６，８，９」であり、被検者Ｐに視認されなかった領域の識別子が「１，４，７」である。したがって、この被検者Ｐには、識別子が「１，４，７」である領域と対応する視野が欠損していることになる。
【００６８】
また、検眼結果情報１２０では、例えば、被検者Ｐの自覚症状等が含まれても良い。例えば、図９の例では、被検者Ｐは、視界に歪みがあることがわかる。
【００６９】
次に、図１０を参照して、本実施形態の検眼装置１０の動作を説明する。図１０は、第一の実施形態の検眼装置の処理を説明するフローチャートである。
【００７０】
本実施形態の検眼装置１０は、検眼処理部１１０の入力受付部１１１により、検眼開始指示を受け付けたか否かを判定する（ステップＳ１００１）。具体的には、入力受付部１１１は、検眼装置１０に対して、起動の指示等がなされた場合に、検眼開始要求を受け付けたものとしても良い。
【００７１】
ステップＳ１００１において、検眼開始指示を受け付けない場合、検眼処理部１１０は、この指示を受け付けるまで待機する。
【００７２】
ステップＳ１００１において、検眼開始指示を受け付けた場合、検眼処理部１１０は、画像データ読出部１１２により、記憶部１１７から検査用画像データ１１８を読み出し、画像投影部１１３により、検査用画像を投影する（ステップＳ１００２）。
【００７３】
続いて、検眼処理部１１０は、接眼装置１６におけるレーザ照射部６０の位置が確定したか否かを判定する（ステップＳ１００３）。具体的には、検眼処理部１１０は、入力受付部１１１により、レーザ照射部６０の位置が確定したことを示す通知が受け付けられたか否かを判定している。本実施形態では、例えば、レーザ照射部６０の位置の調整が終了した場合には、操作装置１７によって、その旨を通知する操作がなされても良い。機構制御装置１５は、この操作を受け付けると、演算処理装置１３に対し、レーザ照射部６０の位置の確定を通知しても良い。
【００７４】
ステップＳ１００３において、位置が確定していない場合、検眼処理部１１０は、位置が確定するまで待機する。ステップＳ１００３において、位置が確定した場合、検眼処理部１１０は、パラメータ取得部１１４により、機構制御装置１５を介して、接眼装置１６におけるレーザ照射部６０の位置を示すパラメータ情報１１９を取得し、記憶部１１７に保持する（ステップＳ１００４）。
【００７５】
次に、検眼処理部１１０は、入力受付部１１１により、検眼結果の入力を受け付けたか否かを判定する（ステップＳ１００５）。ステップＳ１００５において、検眼結果の入力を受け付けていない場合、検眼処理部１１０は、検眼結果の入力を受け付けるまで待機する。
【００７６】
ステップＳ１００５において、検眼結果の入力を受け付けた場合、検眼処理部１１０は、検眼結果取得部１１５により、検眼結果情報１２０として、記憶部１１７に保持する（ステップＳ１００６）。
【００７７】
続いて、検眼処理部１１０は、出力部１１６により、取得したパラメータ情報を端末装置３０へ送信し（ステップＳ１００７）、処理を終了する。尚、このとき、出力部１１６は、検眼結果情報１２０も、パラメータ情報１１９と共に端末装置３０へ送信しても良い。
【００７８】
以上のように、本実施形態によれば、検眼装置１０において、被検者Ｐの眼球と、レーザ光源との位置関係を示すパラメータ情報を取得し、このパラメータ情報が示す位置関係に基づき、被検者Ｐに利用されるアイウェアを製造する。したがって、本実施形態によれば、アイウェアの製造効率の向上に貢献することができる。
【００７９】
（第二の実施形態）
以下に図面を参照して、第二の実施形態について説明する。第二の実施形態は、検眼装置１０に、検眼装置１０による検眼を管理する管理装置が接続される。以下の第二の実施形態の説明では、第一の実施形態と同様の機能構成を有するものには、第一の実施形態の説明で用いた符号と同様の符号を付与し、その説明を省略する。
【００８０】
図１１は、第二の実施形態のアイウェア提供システムのシステム構成の一例を示す図である。
【００８１】
本実施形態のアイウェア提供システム１００Ａは、検眼装置１０、管理装置３００、端末装置３０Ａを有する。アイウェア提供システム１００Ａにおいて、端末装置３０Ａと管理装置３００とは、ネットワーク等を介して接続されている。また、アイウェア提供システム１００Ａにおいて、管理装置３００と検眼装置１０とは、それぞれの通信規格を満足するように接続されている。
【００８２】
本実施形態では、検眼装置１０と管理装置３００とが、検眼システム２００に含まれる。尚、図１１の例では、アイウェア提供システム１００Ａに含まれる検眼システム２００は、１つとしているが、これに限定されない。アイウェア提供システム１００Ａに含まれる検眼システム２００は、任意の数であって良い。
【００８３】
本実施形態の検眼システム２００において、検眼装置１０は、パラメータ情報、検眼結果情報を管理装置３００へ出力する。
【００８４】
本実施形態の検眼システム２００において、管理装置３００は、検眼結果情報やパラメータ情報をユーザ情報と対応付けて管理する。また、管理装置３００は、パラメータ情報を端末装置３０Ａへ送信する。
【００８５】
また、本実施形態の管理装置３００は、検眼管理処理部３１０を有する。検眼管理処理部３１０は、検眼を行う利用者に関するユーザ情報を保持しておき、利用者の属性に応じた検査用画像を用いて検眼を行う。
【００８６】
具体的には、検眼管理処理部３１０は、利用者の属性に応じて、検査用画像の取得元となる外部サーバを特定し、特定した外部サーバより提供されるコンテンツを検査用画像として取得する。図１１の例では、外部サーバとして、サーバ４００、５００、６００の何れかから、検査用画像を取得するものとした。
【００８７】
本実施形態のアイウェア提供システム１００Ａにおいて、端末装置３０Ａは、振れ角設定処理部３１を有し、管理装置３００から受信したパラメータ情報に基づき、アイウェアの光源部に搭載されたＭＥＭＳミラーの振れ角を算出して設定する。ＭＥＭＳミラーの振れ角とは、光学的走査角度を示す。
【００８８】
以下に、図１２を参照して、本実施形態の管理装置３００のハードウェア構成について説明する。図１２は、管理装置のハードウェア構成の一例を示す図である。
【００８９】
本実施形態の管理装置３００は、それぞれバスＢで相互に接続されている入力装置３０１、出力装置３０２、ドライブ装置３０３、補助記憶装置３０４、メモリ装置３０５、演算処理装置３０６及びインターフェース装置３０７を含む。
【００９０】
入力装置３０１は、各種の情報を入力する。出力装置３０２は、各種の情報を出力する。インターフェース装置３０７は、モデム、ＬＡＮカード等を含み、ネットワークに接続する為に用いられる。
【００９１】
検眼管理プログラムは、管理装置３００を制御する各種プログラムの少なくとも一部である。検眼管理プログラムは例えば記憶媒体３０８の配布やネットワークからのダウンロードなどによって提供される。検眼管理プログラムを記録した記憶媒体３０８は、ＣＤ−ＲＯＭ、フレキシブルディスク、光磁気ディスク等の様に情報を光学的、電気的或いは磁気的に記録する記憶媒体、ＲＯＭ、フラッシュメモリ等の様に情報を電気的に記録する半導体メモリ等、様々なタイプの記憶媒体を用いることができる。
【００９２】
また、検眼管理プログラムは、検眼管理プログラムを記録した記憶媒体３０８がドライブ装置３０３にセットされると、記憶媒体３０８からドライブ装置３０３を介して補助記憶装置３０４にインストールされる。ネットワークからダウンロードされた検眼管理プログラムは、インターフェース装置３０７を介して補助記憶装置３０４にインストールされる。
【００９３】
補助記憶装置３０４は、インストールされた検眼管理プログラムを格納すると共に、必要なファイル、データ等を格納する。メモリ装置３０５は、コンピュータの起動時に補助記憶装置３０４から検眼管理プログラムを読み出して格納する。そして、演算処理装置３０６はメモリ装置３０５に格納された検眼管理プログラムに従って、後述するような各種処理を実現している。
【００９４】
尚、本実施形態の端末装置３０Ａは、一般的なコンピュータであり、管理装置３００と同様の構成を有するものであるから、説明を省略する。
【００９５】
次に、図１３を参照して、本実施形態のアイウェア提供システム１００Ａの有する各装置の機能構成について説明する。
【００９６】
図１３は、第二の実施形態のアイウェア提供システムの有する各装置の機能を説明する図である。
【００９７】
はじめに、本実施形態の管理装置３００の機能について説明する。本実施形態の管理装置３００は、検眼管理処理部３１０と、ユーザ情報データベース３３０、属性対応データベース３４０、結果データベース３５０を有する。
【００９８】
ユーザ情報データベース３３０は、検眼装置１０により検眼を行う利用者に関するユーザ情報が格納されている。属性対応データベース３４０は、ユーザの属性を示す情報と、コンテンツの取得元となるサーバを示す情報とを対応付けている。結果データベース３５０は、ユーザ情報と検眼結果とが対応付けられて格納されている。管理装置３００の有する各データベースの詳細は後述する。
【００９９】
本実施形態の検眼管理処理部３１０は、演算処理装置３０６がメモリ装置３０５等に格納された検眼管理プログラムを読み出して実行することにより実現される。
【０１００】
本実施形態の検眼管理処理部３１０は、ユーザ情報取得部３１１、属性判定部３１２、画像取得元特定部３１３、対応画像取得部３１４、画像加工部３１５、画像データ出力部３１６、検眼結果取得部３１７、眼球状態検出部３１８、パラメータ送信部３１９、結果格納部３２０を有する。
【０１０１】
ユーザ情報取得部３１１は、ユーザ情報を取得する。ユーザ情報は、例えば、検眼装置１０の入力受付部１１１によって受け付けられて、管理装置３００に出力されても良い。また、ユーザ情報は、管理装置３００の入力装置３０１等により入力されても良い。ユーザ情報の詳細は後述する。
【０１０２】
属性判定部３１２は、ユーザ情報に含まれる情報から、利用者の属性を判定する。画像取得元特定部３１３は、属性対応データベース３４０を参照し、利用者の属性と対応する外部のサーバを特定する。
【０１０３】
対応画像取得部３１４は、画像取得元特定部３１３により特定されたサーバから提供されるコンテンツの画像データを取得する。画像加工部３１５は、対応画像取得部３１４により取得した画像データを加工し、検査用画像データとする。画像加工部３１５による加工の仕方の詳細は後述する。
【０１０４】
画像データ出力部３１６は、加工された検査用画像データを検眼装置１０へ出力する。検眼結果取得部３１７は、検眼装置１０から、パラメータ情報と検眼結果情報とを取得する。
【０１０５】
眼球状態検出部３１８は、検眼結果情報に基づき、眼球の状態を検出し、眼球状態情報として出力する。具体的には、眼球状態検出部３１８は、眼球の状態を判定するための基準情報を保持しており、検眼結果情報と、基準情報とを照合して、眼球の状態を判定しても良い。
【０１０６】
パラメータ送信部３１９は、検眼装置１０から取得したパラメータ情報を端末装置３０Ａに送信する。結果格納部３２０は、検眼結果取得部３１７により取得したパラメータ情報、検眼結果情報、眼球状態情報をユーザ情報と対応付けて結果データベース３５０に格納する。
【０１０７】
次に、管理装置３００の有する各データベースについて説明する。はじめに、結果データベース３５０について説明する。
【０１０８】
本実施形態の結果データベース３５０には、ユーザ情報に、パラメータ情報と、検眼結果情報と、眼球状態情報とがユーザ情報に対応付けられた結果情報３５１が格納されている。ここで、ユーザ情報とは、例えば、ユーザＩＤ等である。
【０１０９】
例えば、結果情報３５１のユーザ情報が、被検者ＰのユーザＩＤであった場合、パラメータ情報は、図８に示すパラメータ情報１１９であり、検眼結果情報は、図９に示す検眼結果情報１２０である。
【０１１０】
検眼結果情報１２０では、被検者Ｐに視認された領域の識別子が「２，３，５，６，８，９」であり、被検者Ｐに視認されなかった領域の識別子が「１，４，７」である（図９参照）。よって、眼球状態検出部３１８は、視野欠損が有りと判定する。また、眼球状態検出部３１８に保持されている基準情報において、「検査用画像の外周の領域に視野欠損が存在した場合＝緑内障の可能性あり」という情報が存在していた場合、眼球状態検出部３１８は、この被検者Ｐの眼球の状態について、緑内障の可能性有りと判定する。したがって、この場合、眼球状態情報は、「視野欠損有り・緑内障の可能性有り」となる。
【０１１１】
尚、本実施形態では、眼球状態検出部３１８が管理装置３００に設けられているものとしたが、これに限定されない。眼球状態検出部３１８は、検眼装置１０に設けられていても良い。この場合、検眼装置１０は、パラメータ情報、検眼結果情報及び眼球状態情報を管理装置３００へ送信すれば良い。
【０１１２】
次に、本実施形態の端末装置３０Ａの機能について説明する。
【０１１３】
本実施形態の端末装置３０Ａは、振れ角設定処理部３１を有する。本実施形態の振れ角設定処理部３１は、端末装置３０Ａの演算処理装置が、記憶装置に格納されたミラー制御プログラムを読み出して実行することで実現される。
【０１１４】
本実施形態の振れ角設定処理部３１は、パラメータ受信部３２、振れ角算出部３３、振れ角設定部３４を有する。
【０１１５】
パラメータ受信部３２は、管理装置３００から送信されたパラメータ情報を取得する。振れ角算出部３３は、パラメータ情報に基づき、このパラメータ情報により、検眼を行った利用者によって視認可能とされる網膜上の領域を求める。そして、振れ角算出部３３は、求めた領域に基づき、アイウェア５０に搭載されたＭＥＭＳミラーの振れ角を算出する。
【０１１６】
尚、本実施形態の振れ角設定処理部３１は、アイウェア５０のＭＥＭＳミラーの仕様を示す仕様情報等、振れ角の算出に用いられる各種の情報を保持していても良い。
【０１１７】
振れ角設定部３４は、振れ角算出部３３により算出された振れ角をアイウェア５０に設定する。
【０１１８】
次に、図１４、１５を参照して、本実施形態のユーザ情報データベース３３０と、属性対応データベース３４０について説明する。図１４は、第二の実施形態のユーザ情報データベースの一例を示す図である。
【０１１９】
本実施形態のユーザ情報データベース３３０は、情報の項目として、ユーザＩＤ、パスワード、性別、年齢を有する。項目「ユーザＩＤ」の値は、アイウェア提供システム１００Ａの利用者を識別するための識別子を示す。項目「パスワード」の値は、ユーザＩＤにより識別される利用者のパスワードである。項目「性別」の値は、利用者の性別を示し、項目「年齢」の値は、利用者の年齢を示す。ユーザ情報データベース３３０では、項目「ユーザＩＤ」と、その他の項目とが対応付けられており、本実施形態のユーザ情報は、項目「ユーザＩＤ」の値と、その他の項目の値とを含む情報である。
【０１２０】
本実施形態では、項目「性別」の値と、項目「年齢」の値と、を利用者の属性を示す情報としている。尚、利用者の属性を示す情報は、図１４に示す項目に限定されない。利用者の属性を示す情報は、例えば、利用者の嗜好を示す項目等が含まれても良い。
【０１２１】
図１５は、第二の実施形態の属性対応データベースの一例を示す図である。本実施形態の属性対応データベース３４０は、情報の項目として、属性と、対応サーバとを有し、項目「属性」と、項目「対応サーバ」とが対応付けられている。
【０１２２】
項目「属性」の値は、ユーザ情報データベース３３０における、属性を示す情報である。項目「対応サーバ」の値は、属性に対応付けられたサーバを特定する情報を示す。具体的には、項目「対応サーバ」の値は、サーバの名称であっても良いし、サーバを特定するＵＲＬ（Uniform Resource Locator）等であっても良い。
【０１２３】
図１５では、例えば、利用者の属性が「女性」であった場合には、対応するサーバは、サーバ５００であることがわかる。この場合、対応画像取得部３１４は、サーバ５００にアクセスし、サーバ５００から提供される画像データを取得する。ここで提供される画像データとは、例えば、女性向けの製品の広告画像等であって良い。また、例えば、利用者の年齢が１０才以下等であった場合には、子供向けの画像等を検査用画像としても良い。
【０１２４】
本実施形態では、このように、利用者の属性と対応した画像を検査用画像として用いることで、利用者が興味を持って検眼を行えるようにしている。
【０１２５】
次に、図１６を参照して、本実施形態の検眼管理処理部３１０の画像加工部３１５による画像データの加工について説明する。図１６（Ａ）は、加工前の画像データにより投影される画像の一例を示す。図１６（Ｂ）は、加工後の画像データにより投影される画像の一例を示す。
【０１２６】
図１６に示す画像１６１は、属性対応データベース３４０により特定されたサーバから取得したコンテンツの画像である。
【０１２７】
本実施形態の画像加工部３１５は、コンテンツの画像に対して、コンテンツが示す内容が変更されない程度に、画像に対して加工を施す。図１６の例では、画像１６１に対して外周に黒枠１６２を重畳させて検査用画像１６１−１とする。
【０１２８】
本実施形態では、このように、画像データを加工することで、例えば、検眼装置１０で検眼を行う利用者は、視野の外周部分に視野の欠損に気付きやすくなる。
【０１２９】
尚、画像加工部３１５による画像の加工の方法は、図１６に示す方法に限定されない。例えば、画像加工部３１５は、コンテンツを示す画像の色を変更しても良いし、画像の色の濃度を変更しても良い。また、画像加工部３１５は、例えば、コンテンツを示す画像を複数の領域に分割するような格子柄等を、コンテンツを示す画像に重畳しても良い。
【０１３０】
このように画像加工部３１５にて画像の加工を行うことによって、網膜症などの眼疾患のある被検者でも視認性を高めることができ、これらの情報をユーザ属性データベース３３０に反映させることによって、汎用性を高めることができる。
【０１３１】
尚、図１６の例では、サーバから取得したコンテンツの画像を静止画としているが、これに限定されない。サーバから取得したコンテンツの画像は、例えば、動画であっても良い。
【０１３２】
次に、図１７を参照して、本実施形態のアイウェア提供システム１００Ａの動作について説明する。図１７は、第二の実施形態のアイウェア提供システムの動作を説明するシーケンス図である。
【０１３３】
本実施形態のアイウェア提供システム１００Ａにおいて、管理装置３００は、ユーザ情報を取得すると（ステップＳ１７０１）、ユーザ情報に基づき利用者の属性を判定し、画像データの取得元となるサーバを特定する（ステップＳ１７０２）。
【０１３４】
続いて、管理装置３００は、特定されたサーバに対して、画像データの取得要求を通知する（ステップＳ１７０３）。続いて、通知を受け付けたサーバは、取得要求に応じて、画像データを管理装置３００へ送信する（ステップＳ１７０４）。ここで、管理装置３００に送信される画像データは、例えば、サーバ側で予め提供される画像データとして決められていても良い。
【０１３５】
続いて、管理装置３００は、取得した画像データを加工し（ステップＳ１７０５）、加工後の画像データを、検査用画像データとして検眼装置１０へ出力する（ステップＳ１７０６）。
【０１３６】
検眼装置１０は、取得した検査用画像データを読み出し（ステップＳ１７０７）、検査用画像を投影させ、検眼を行う（ステップＳ１７０８）。続いて、検眼装置１０は、管理装置３００に対して、パラメータ情報と、検眼結果情報を出力する（ステップＳ１７０９、１７１０）。
【０１３７】
管理装置３００は、検眼結果情報を取得すると、眼球の状態を検出する（ステップＳ１７１１）。続いて、管理装置３００は、パラメータ情報、検眼結果情報、眼球状態情報をユーザ情報と対応付けて結果データベース３５０に格納する（ステップＳ１７１２）。次に、管理装置３００は、パラメータ情報を端末装置３０Ａに送信する（ステップＳ１７１３）。
【０１３８】
端末装置３０Ａは、パラメータ情報を受信すると、このパラメータ情報に基づき、振れ角を算出する（ステップＳ１７１４）。続いて、端末装置３０Ａは、算出された振れ角をアイウェア５０に設定する（ステップＳ１７１５）。
【０１３９】
以上のように、本実施形態のアイウェア提供システム１００Ａによれば、検眼装置１０を用いて検眼を行った利用者のパラメータ情報を、アイウェア５０に設定し、このアイウェア５０を利用者に提供することができる。
【０１４０】
言い換えれば、本実施形態のアイウェア提供システム１００Ａでは、管理装置３００において、ユーザ情報の入力を受け付けると、ユーザ情報に基づき検眼装置１０の利用者の属性を判定し、利用者に応じた検査用画像によって検眼を行う。そして、本実施形態のアイウェア提供システム１００Ａは、管理装置３００において、この利用者の検眼結果情報とパラメータ情報とを保持、管理装置３００から、端末装置３０Ａにパラメータ情報を送信する。端末装置３０Ａは、受信したパラメータ情報を、アイウェア５０に設定する。このとき、本実施形態の端末装置３０Ａは、アイウェア５０の製造を行う製造装置を制御する端末装置であっても良い。
【０１４１】
このように、本実施形態のアイウェア提供システム１００Ａによれば、検眼を行った利用者のパラメータ情報をアイウェア５０に設定して利用者固有のアイウェア５０を製造し、利用者に提供することができる。
【０１４２】
ここで、本実施形態のアイウェア提供システム１００Ａの利用シーンについて説明する。以下の例では、検眼装置１０と管理装置３００とを含む検眼システム２００が、アイウェアの販売店に設置されており、端末装置３０Ａが、アイウェアの製造装置を制御する端末装置として、アイウェア５０の製造工場等に設置されているものとする。
【０１４３】
ここで、アイウェアの販売店を訪れた利用者が、自身のアイウェアを購入する場合、利用者は、まず、販売店に設置された検眼システム２００により、検眼を行う。検眼システム２００は、利用者による検眼が行われると、パラメータ情報と、検眼結果情報と、をユーザ情報と対応付けて管理装置３００に保持する。尚、このとき、ユーザ情報には、検眼システム２００が設置された販売店を特定するための情報が含まれていても良い。
【０１４４】
そして、検眼システム２００は、管理装置３００から、端末装置３０Ａに対して、ユーザ情報と共に、パラメータ情報を送信する。端末装置３０Ａは、アイウェアの製造工程において、製造装置に、受信したパラメータ情報を用いたレーザ照射部６０の取り付け等を行わせる。
【０１４５】
ここで製造されたアイウェアは、ユーザ情報により特定される利用者によって購入されるものである。よって、このアイウェアは、製造工場から、販売店へ引き渡され、販売店において、利用者に引き渡される。
【０１４６】
本実施形態では、このようにして、検眼を行った利用者に対してアイウェアを提供することができる。したがって、本実施形態によれば、アイウェアを利用者に合わせてカスタマイズするために、利用者にアイウェアを試着させて各種の調整を行う等といった手間を省くことができる。
【０１４７】
次に、図１８を参照して、本実施形態の管理装置３００の動作について説明する。図１８は、第二の実施形態の管理装置の処理を説明するフローチャートである。
【０１４８】
本実施形態の管理装置３００の検眼管理処理部３１０は、ユーザ情報取得部３１１により、ユーザ情報を受け付けたか否かを判定する（ステップＳ１８０１）。ステップＳ１８０１において、ユーザ情報を取得していない場合、ユーザ情報を取得するまで待機する。
【０１４９】
ステップＳ１８０１において、ユーザ情報を受け付けた場合、検眼管理処理部３１０は、属性判定部３１２により、ユーザ情報に含まれる項目「性別」、「年齢」の値から、利用者の属性を判定する（ステップＳ１８０２）。
【０１５０】
次に、検眼管理処理部３１０は、画像取得元特定部３１３により、属性対応データベース３４０を参照し、利用者の属性と対応するサーバを特定する（ステップＳ１８０３）。続いて、検眼管理処理部３１０は、対応画像取得部３１４により、特定されたサーバから、画像データを取得する（ステップＳ１８０４）。次に、検眼管理処理部３１０は、画像加工部３１５により、取得した画像データを加工して検査用画像データとし、画像データ出力部３１６により、検査用画像データを検眼装置１０に出力する（ステップＳ１８０５）。
【０１５１】
次に、検眼管理処理部３１０は、検眼結果取得部３１７により、パラメータ情報と検眼結果情報を検眼装置１０から取得したか否かを判定する（ステップＳ１８０６）。ステップＳ１８０６において、該当する情報を取得していない場合、検眼管理処理部３１０は、取得するまで待機する。
【０１５２】
ステップＳ１８０６において、該当する情報を取得した場合、検眼管理処理部３１０は、眼球状態検出部３１８により、検眼結果情報から、眼球の状態を検出し、眼球状態情報を出力する（ステップＳ１８０７）。
【０１５３】
続いて、検眼管理処理部３１０は、パラメータ送信部３１９により、パラメータ情報を端末装置３０Ａに送信する（ステップＳ１８０８）。次に、検眼管理処理部３１０は、結果格納部３２０により、パラメータ情報と検眼結果情報と眼球状態情報とをユーザ情報と対応付けて、結果データベース３５０に格納し（ステップＳ１８０９）、処理を終了する。
【０１５４】
尚、本実施形態では、検眼管理処理部３１０は、対応画像取得部３１４が取得した画像データに対し、画像加工部３１５により加工を行って、検査用画像データとするものとしたが、これに限定されない。検眼管理処理部３１０は、対応画像取得部３１４が取得した画像データをそのまま検査用画像データとして検眼装置１０に出力しても良い。
【０１５５】
次に、図１９を参照して、本実施形態の端末装置３０Ａの動作について説明する。図１９は、第二の実施形態の端末装置の処理を説明するフローチャートである。
【０１５６】
本実施形態の端末装置３０Ａの振れ角設定処理部３１は、パラメータ受信部３２により、管理装置３００からパラメータ情報を受信したか否かを判定する（ステップＳ１９０１）。ステップＳ１９０１において、パラメータ情報を受信していない場合、振れ角設定処理部３１は、パラメータ情報を受信するまで待機する。
【０１５７】
ステップＳ１９０１において、パラメータ情報を受信すると、振れ角設定処理部３１は、振れ角算出部３３により、パラメータ情報に基づき、このパラメータ情報と対応付く利用者の視野を示す領域を求める（ステップＳ１９０２）。具体的には、例えば、振れ角算出部３３は、接眼装置１６におけるＸ軸を中心とした回転角度と、Ｙ軸を中心とした回転角度と、レーザ照射部６０にＭＥＭＳミラー６３の振れ角と、から、接眼装置１６において、レーザ照射部６０がレーザ光線を走査させた領域を求める。
【０１５８】
続いて、振れ角算出部３３は、ステップＳ１９０２で求めた領域を、アイウェア５０にＭＥＭＳミラーの振れ角を算出する（ステップＳ１９０３）。尚、このとき、振れ角設定処理部３１は、算出された振れ角と、利用者のユーザ情報（ユーザＩＤ）とを対応付けて管理装置３００へ送信しても良い。そして、管理装置３００は、受信した振れ角を、結果データベース３５０の対応するユーザ情報と対応付けて格納しても良い。
【０１５９】
続いて、振れ角設定処理部３１は、振れ角設定部３４により、算出した振れ角をアイウェア５０に設定し（ステップＳ１９０４）、処理を終了する。具体的には、振れ角設定部３４は、算出された振れ角を、アイウェア５０の有する制御装置へ送信する。アイウェア５０の制御装置は、この振れ角をアイウェア５０のＭＥＭＳミラーの駆動を制御する駆動制御部に通知して、振れ角を設定させる。
【０１６０】
本実施形態では、このように、利用者の視野に基づく領域に対してレーザ光線を照射するようにしている。このため、例えば視野の欠損がある利用者の場合には、欠損している領域にはレーザ光線は照射されず、アイウェア５０では、その分の消費電力を削減することができる。
【０１６１】
尚、本実施形態では、端末装置３０Ａに振れ角設定処理部３１を設け、振れ角を算出するものとしたが、これに限定されない。振れ角設定処理部３１は、例えば管理装置３００が有していても良いし、検眼装置１０が有していても良い。
【０１６２】
以上のように、本実施形態では、パラメータ情報に基づき、利用者へ提供するアイウェア５０に対し、利用者の視野に応じた領域をレーザ光線で走査させるところまで、自動で行うことができる。したがって、本実施形態では、アイウェア５０の製造・販売の手順を簡略化でき、製造効率の向上に貢献できる。
【０１６３】
また、本実施形態によれば、利用者の属性に応じた広告画像を取得して、検査用画像とするため、例えば、利用者が関心を持ちそうな事柄に関連した情報を提供しながら、検眼を行うことができる。
【０１６４】
また、本実施形態では、検眼結果情報から、利用者の眼球の状態を検出し、眼球状態情報をユーザ情報と対応付けて保管する。したがって、本実施形態によれば、検眼を行った利用者は、簡単な検眼によって自身の眼球の状態を知ることができる。また、本実施形態では、例えば、検眼を行った利用者が医療機関を受診する場合には、利用者に対して、検眼結果情報や眼球状態情報を提供することができる。
【０１６５】
（第三の実施形態）
以下に図面を参照して第三の実施形態について説明する。第三の実施形態では、管理装置をネットワーク上に配置した点が、第二の実施形態と相違する。以下の第三の実施形態の説明では、第二の実施形態との相違点についてのみ説明し、第二の実施形態と同様の機能構成を有するものには、第二の実施形態の説明で用いた符号と同様の符号を付与し、その説明を省略する。
【０１６６】
図２０は、第三の実施形態のアイウェア提供システムのシステム構成の一例を示す図である。
【０１６７】
本実施形態のアイウェア提供システム１００Ｂは、検眼装置１０と、管理装置３００Ａと、端末装置３０と、を有する。尚、アイウェア提供システム１００Ｂには、端末装置３０Ａが含まれていても良い。
【０１６８】
検眼装置１０と端末装置３０は、それぞれが、ネットワークを介して管理装置３００Ａと接続される。管理装置３００Ａは、例えばクラウド上に設けられたサーバ装置である。
【０１６９】
本実施形態の管理装置３００Ａは、検眼管理処理部３１０と、ユーザ情報データベース３３０と、属性対応データベース３４０と、結果データベース３５０と、認証処理部３６０と、を有する。
【０１７０】
本実施形態の認証処理部３６０は、管理装置３００Ａの有するデータベースに対するアクセス権の有無を判定するための認証処理を行う。
【０１７１】
より具体的には、認証処理部３６０は、ユーザ情報データベース３３０にユーザ情報が格納されている利用者に対して、結果データベース３５０に格納された結果情報を提供する。
【０１７２】
例えば、管理装置３００Ａは、端末装置３０からユーザＩＤとパスワードを受信すると、認証処理部３６０により、このユーザＩＤとパスワードがユーザ情報データベース３３０に格納されているか否かを判定する。そして、管理装置３００Ａは、認証処理部３６０により、該当するユーザＩＤとパスワードがユーザ情報データベース３３０に存在すると判定された場合、結果データベース３５０から、入力されたユーザＩＤを含む結果情報を抽出して、端末装置３０へ送信する。
【０１７３】
また、本実施形態の管理装置３００Ａは、例えば、検眼装置１０が設置されたアイウェアの販売店や医療機関等の関連機関に対し、予め割り降られた認証コード等が入力された場合には、認証コードと対応付けられた結果情報を、認証コードの入力元の端末装置３０へ送信しても良い。この場合、管理装置３００Ａでは、認証コード毎に、送信対象となる結果情報に含まれるユーザＩＤが対応付けられていても良い。
【０１７４】
本実施形態では、認証コード毎に結果情報をグルーピングしておくことで、例えば、盲学校等の教育機関や、弱視者協会や支援団体等に対して、特定の被検者の結果情報を提供することができる。
【０１７５】
（第四の実施形態）
以下に、図面を参照して、第四の実施形態について説明する。第四の実施形態では、アイウェアに対するパラメータ情報の適用について説明する。以下の第四の実施形態の説明では、第一乃至第三の実施形態と同様の機能構成を有するものには、第一乃至第三の実施形態の説明で用いた符号と同様の符号を付与し、その説明を省略する。
【０１７６】
はじめに、図２１を参照して、アイウェア５０の構造について説明する。図２１は、網膜走査型アイウェアの構造を説明する図である。図２１では、アイウェア５０を上方から見た状態を示している。
【０１７７】
本実施形態のアイウェア５０は、投影部５１、制御部５２を備える。本実施形態の投影部５１は、光源５３、走査ミラー５４、反射ミラー５５及び投影ミラー５６を有する。
【０１７８】
本実施形態のアイウェア５０では、投影ミラー５６に入射した光線の投影ミラー５６内の進行方向をＸ方向、投影ミラー５６におけるＸ方向に直交する方向をＹ方向とする。
【０１７９】
走査ミラー５４は、例えばＭＥＭＳミラーであり、光源５３から出射されたレーザ光（光線）Ｌを水平方向及び垂直方向の２次元方向に走査する。また、走査ミラー５４は、光源５３から出射された光線Ｌを２次元に走査して、ユーザの眼球Ｅの網膜５７に画像を投影させるための投影光とする。
【０１８０】
反射ミラー５５は、走査ミラー５４で走査された光線Ｌをレンズ５８に向かって反射させる。
【０１８１】
レンズ５８の利用者の眼球Ｅ側の面には、自由局面を有する投影ミラー５６が設けられている。投影ミラー５６は、走査ミラー５４で走査され、反射ミラー５５で反射された光線Ｌを眼球Ｅの網膜５７に照射することにより、網膜５７に画像を投影する。つまり、利用者は、網膜５７に投射されたレーザ光の残像効果によって、画像を認識することができる。投影ミラー５６は、走査ミラー５４で走査された光線Ｌの集束位置が、眼球Ｅの瞳孔５９となるように設計されている。光線Ｌは投影ミラー５６にほぼ真横（すなわちほぼ−Ｘ方向）から入射する。
【０１８２】
尚、本実施形態では、投影ミラー５６の自由曲面の曲率を大きくすれば、反射ミラー５５から瞳孔５９の収束位置までの距離を短くすることができ、アイウェア５０を小型にすることができる。
【０１８３】
尚、本実施形態の制御部５２は、例えば、端末装置３０や端末装置３０Ａにより実現されても良い。
【０１８４】
次に、検眼装置１０による検眼によって取得したパラメータ情報のアイウェア５０に対する適用について説明する。ここでは、図２２を参照して、パラメータ情報１１９における、瞳孔間距離をアイウェア５０に適用する方法をについて説明する。
【０１８５】
図２２は、アイウェアに対する瞳孔間距離の適用について説明する図である。図２２（Ａ）は、瞳孔間距離の適用前のアイウェアを示しており、図２２（Ｂ）は、瞳孔間距離の適用前のアイウェアを示す。
【０１８６】
本実施形態のアイウェア５０では、左眼側にレーザ照射部６０が設置されている。このレーザ照射部６０に、光源５３、走査ミラー５４、反射ミラー５５及び投影ミラー５６が含まれている。
【０１８７】
レーザ照射部６０は、アイウェア５０のフレームに、Ｘ方向、Ｙ方向に移動可能に取り付けられており、パラメータ情報１１９の瞳孔間距離はレーザ照射部６０のＸ方向に反映される。
【０１８８】
本実施形態では、例えば、図２２（Ｂ）に示すように、瞳孔間距離の値に応じて、レーザ照射部６０をＸ方向へ移動させることによって、各ユーザの瞳孔間距離に適応したレーザ照射部６０の位置を決めることができる。
【０１８９】
レーザ照射部６０をＸ方向へ移動させるには、ツル４９とレーザ照射部６０との間に、瞳孔間距離に対応した厚みのスペーサＳａ等を挿入することによって、複雑な機構を用いずとも瞳孔間距離に応じたレーザ照射部６０の位置決めをすることができる。尚、このレーザ照射部６０を移動させる構成は、これに限らず、ガイド溝に沿って移動させるなどの構成が考えられる。
【０１９０】
以上、各実施形態に基づき本発明の説明を行ってきたが、上記実施形態にあげた構成、その他の要素との組み合わせなど、ここで示した要件に本発明が限定されるものではない。これらの点に関しては、本発明の主旨をそこなわない範囲で変更することが可能であり、その応用形態に応じて適切に定めることができる。
【符号の説明】
【０１９１】
１０  検眼装置
１６  接眼装置
３０、３０Ａ  端末装置
３１  振れ角設定処理部
４０  パラメータ情報
５０  アイウェア
６０  レーザ照射部
１００、１００Ａ、１００Ｂ  アイウェア提供システム
１１０  検眼処理部
２００  検眼システム
３００、３００Ａ  管理装置
３１０  検眼管理処理部
３３０  ユーザ情報データベース
３４０  属性対応データベース
３５０  結果データベース
３６０  認証処理部
【図１】
2018102723.tif 000003
【図２】
2018102723.tif 000004
【図３】
2018102723.tif 000005
【図４】
2018102723.tif 000006
【図５】
2018102723.tif 000007
【図６】
2018102723.tif 000008
【図７】
2018102723.tif 000009
【図８】
2018102723.tif 000010
【図９】
2018102723.tif 000011
【図１０】
2018102723.tif 000012
【図１１】
2018102723.tif 000013
【図１２】
2018102723.tif 000014
【図１３】
2018102723.tif 000015
【図１４】
2018102723.tif 000016
【図１５】
2018102723.tif 000017
【図１６】
2018102723.tif 000018
【図１７】
2018102723.tif 000019
【図１８】
2018102723.tif 000020
【図１９】
2018102723.tif 000021
【図２０】
2018102723.tif 000022
【図２１】
2018102723.tif 000023
【図２２】
2018102723.tif 000024
【手続補正書】
【提出日】平成29年10月27日(2017.10.27)
【手続補正１】
【補正対象書類名】特許請求の範囲
【補正対象項目名】全文
【補正方法】変更
【補正の内容】
【特許請求の範囲】
【請求項１】
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記画像用レーザ光線の収束点を中心に前記レーザ照射部を回転させたときの、前記回転の角度を示す角度情報を含む、網膜走査型アイウェアのためのパラメータ情報を取得するパラメータ取得部と、
前記パラメータ情報を外部装置へ出力する出力部と、を有する、網膜走査型検眼装置。
【請求項２】
前記被検者による操作を受け付ける操作受付部と、
前記操作に応じて、前記レーザ照射部の位置を移動及び／又は回転させる機構制御部と、
を有し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記被検者の瞳孔間距離を示す情報を含む、請求項１記載の網膜走査型検眼装置。
【請求項３】
前記被検者から、前記検査用画像を視認した結果の入力を受け付ける入力部を有し、
前記出力部は、前記被検者が視認した結果を示す検眼結果情報を出力する、請求項１又は２記載の網膜走査型検眼装置。
【請求項４】
被検者の検眼を行う網膜走査型検眼装置と、前記網膜走査型検眼装置と接続される管理装置と、を有する網膜走査型検眼システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記画像用レーザ光線の収束点を中心に前記レーザ照射部を回転させたときの、前記回転の角度を示す角度情報を含む、網膜走査型アイウェアのためのパラメータ情報を取得するパラメータ取得部と、
前記パラメータ情報を、前記管理装置に出力する出力部と、を有し、
前記管理装置は、
前記パラメータ情報を端末装置へ送信するパラメータ送信部を有する、網膜走査型検眼システム。
【請求項５】
前記網膜走査型検眼装置は、
前記被検者による操作を受け付ける操作受付部と、
前記操作に応じて、前記レーザ照射部の位置を移動及び／又は回転させる機構制御部と、
を有し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記被検者の瞳孔間距離を示す情報を含む、請求項４記載の網膜走査型検眼システム。
【請求項６】
前記網膜走査型検眼装置は、
前記被検者から、前記検査用画像を視認した結果の入力を受け付ける入力部を有し、
前記出力部は、前記被検者が視認した結果を示す検眼結果情報を前記管理装置に出力し、
前記管理装置は、
前記検眼結果情報に基づき、前記被検者の眼球の状態を示す眼球状態情報を出力する眼球状態検出部と、
前記パラメータ情報と、前記検眼結果情報と、前記眼球状態情報とを対応付けた結果情報を記憶領域に格納する結果格納部と、を有する、請求項５記載の網膜走査型検眼システム。
【請求項７】
前記管理装置は、
前記被検者のユーザ情報の入力を受け付けるユーザ情報取得部と、
前記ユーザ情報から、前記被検者の属性を判定する属性判定部と、
属性と、画像データの取得元とが対応付けられたテーブルを参照し、前記被検者の属性と対応する画像データの取得元を特定する取得元特定部と、
特定された取得元から、前記属性と対応する画像データを取得する対応画像取得部と、
取得した画像データを加工して検査用画像データを生成する画像加工部と、
前記画像加工部により生成された検査用画像データを前記網膜走査型検眼装置へ出力する画像データ出力部と、を有する、請求項６記載の網膜走査型検眼システム。
【請求項８】
前記結果格納部は、
前記結果情報を前記ユーザ情報と対応付けて前記記憶領域に格納する、請求項７記載の網膜走査型検眼システム。
【請求項９】
網膜走査型検眼装置による網膜走査型検眼方法であって、前記網膜走査型検眼装置が、
記憶部に記憶された検査用画像データに基づいて、レーザ光源から画像用レーザ光線を生成し、
前記レーザ光源を有するレーザ照射部により、前記画像用レーザ光線によって、検査用画像を被検者の眼球の網膜へ投影し、
前記画像用レーザ光線を前記被検者の眼球内で収束させ、
前記画像用レーザ光線の収束点を中心に前記レーザ照射部を回転させたときの、前記回転の角度を示す角度情報を含む、網膜走査型アイウェアのためのパラメータ情報を取得し、
前記パラメータ情報を外部装置へ出力する、網膜走査型検眼方法。
【請求項１０】
被検者の検眼を行う網膜走査型検眼装置と、前記網膜走査型検眼装置と接続される管理装置と、を有する網膜走査型検眼システムによる網膜走査型検眼方法であって、
前記網膜走査型検眼装置が、
記憶部に記憶された検査用画像データに基づいて、レーザ光源から画像用レーザ光線を生成し、
前記レーザ光源を有するレーザ照射部により、前記画像用レーザ光線によって、検査用画像を被検者の眼球の網膜へ投影し、
前記画像用レーザ光線を前記被検者の眼球内で収束させ、
前記画像用レーザ光線の収束点を中心に前記レーザ照射部を回転させたときの、前記回転の角度を示す角度情報を含む、網膜走査型アイウェアのためのパラメータ情報を取得し、
前記パラメータ情報を前記管理装置へ出力し、
前記管理装置が、
前記パラメータ情報を端末装置へ送信する、網膜走査型検眼方法。
【請求項１１】
前記網膜走査型検眼装置が、
前記被検者による操作を受け付け、
前記操作に応じて、機構制御部により、前記レーザ照射部の位置の移動及び／又は回転を制御し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記被検者の瞳孔間距離を示す情報を含む、請求項９又は１０記載の網膜走査型検眼方法。
【請求項１２】
被検者の検眼を行う網膜走査型検眼装置と、前記網膜走査型検眼装置と通信を行う端末装置と、を有するアイウェア提供システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記画像用レーザ光線の収束点を中心に前記レーザ照射部を回転させたときの、前記回転の角度を示す角度情報を含む、網膜走査型アイウェアのためのパラメータ情報を取得するパラメータ取得部と、
前記パラメータ情報を、前記端末装置に出力する出力部と、を有する、アイウェア提供システム。
【請求項１３】
被検者の検眼を行う網膜走査型検眼装置と、前記網膜走査型検眼装置と接続される管理装置と、前記管理装置と通信を行う端末装置と、を有するアイウェア提供システムであって、
前記網膜走査型検眼装置は、
検査用画像データが記憶された記憶部と、
前記検査用画像データに基づいた画像用レーザ光線を生成するレーザ光源を有し、前記画像用レーザ光線によって、被検者の眼球の網膜へ検査用画像を投影するレーザ照射部と、
前記画像用レーザ光線を前記被検者の眼球内で収束させる光学部材と、
前記画像用レーザ光線の収束点を中心に前記レーザ照射部を回転させたときの、前記回転の角度を示す角度情報を含む、網膜走査型アイウェアのためのパラメータ情報を取得するパラメータ取得部と、
前記パラメータ情報を、前記管理装置に出力する出力部と、を有し、
前記管理装置は、
前記パラメータ情報を前記端末装置へ送信するパラメータ送信部を有する、アイウェア提供システム。
【請求項１４】
前記網膜走査型検眼装置は、
前記被検者による操作を受け付ける操作受付部と、
前記操作に応じて、前記レーザ照射部の位置を移動及び／又は回転させる機構制御部と、
を有し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記被検者の瞳孔間距離を示す情報を含む、請求項１２又は１３記載のアイウェア提供システム。
【請求項１５】
前記端末装置は、
網膜走査型ヘッドマウントディスプレイの製造装置と接続される端末装置である、請求項１２乃至１４の何れか一項に記載のアイウェア提供システム。
【請求項１６】
被検者の検眼を行う網膜走査型検眼装置と、前記網膜走査型検眼装置と通信を行う端末装置と、を有するアイウェア提供システムによるアイウェア提供方法であって、
前記網膜走査型検眼装置が、
記憶部に記憶された検査用画像データに基づいて、レーザ光源から画像用レーザ光線を生成し、
前記レーザ光源を有するレーザ照射部により、前記画像用レーザ光線によって、検査用画像を被検者の眼球の網膜へ投影し、
前記画像用レーザ光線を前記被検者の眼球内で収束させ、
前記画像用レーザ光線の収束点を中心に前記レーザ照射部を回転させたときの、前記回転の角度を示す角度情報を含む、網膜走査型アイウェアのためのパラメータ情報を取得し、
前記パラメータ情報を前記端末装置へ出力する、アイウェア提供方法。
【請求項１７】
被検者の検眼を行う網膜走査型検眼装置と、前記網膜走査型検眼装置と接続される管理装置と、前記管理装置と通信を行う端末装置と、を有するアイウェア提供システムによるアイウェア提供方法であって、
前記網膜走査型検眼装置が、
記憶部に記憶された検査用画像データに基づいて、レーザ光源から画像用レーザ光線を生成し、
前記レーザ光源を有するレーザ照射部により、前記画像用レーザ光線によって、検査用画像を被検者の眼球の網膜へ投影し、
前記画像用レーザ光線を前記被検者の眼球内で収束させ、
前記画像用レーザ光線の収束点を中心に前記レーザ照射部を回転させたときの、前記回転の角度を示す角度情報を含む、網膜走査型アイウェアのためのパラメータ情報を取得し、
前記パラメータ情報を前記管理装置へ出力し、
前記管理装置が、
前記パラメータ情報を前記端末装置へ送信する、アイウェア提供方法。
【請求項１８】
被検者の検眼を行う網膜走査型検眼装置と、前記網膜走査型検眼装置と接続される管理装置と、前記管理装置と通信を行う端末装置と、を有するアイウェア提供システムによるアイウェア提供方法であって、
前記管理装置が、
前記被検者を特定するためのユーザ情報の入力を受け付けて、前記網膜走査型検眼装置に検眼を開始させ、
前記網膜走査型検眼装置が、
記憶部に記憶された検査用画像データに基づいて、レーザ光源から画像用レーザ光線を生成し、
前記レーザ光源を有するレーザ照射部により、前記画像用レーザ光線によって、検査用画像を前記被検者の眼球の網膜へ投影し、
前記画像用レーザ光線を前記被検者の眼球内で収束させ、
画像用レーザ光線の収束点を中心に前記レーザ照射部を回転させたときの、前記回転の角度を示す角度情報を含む、網膜走査型アイウェアのためのパラメータ情報を取得し、
前記パラメータ情報を前記管理装置へ出力し、
前記管理装置が、
前記パラメータ情報を前記端末装置へ送信し、
前記端末装置が、
前記パラメータ情報に基づき、網膜走査型アイウェアの有するレーザ光源の位置を設定する、アイウェア提供方法。
【請求項１９】
前記網膜走査型検眼装置が、
前記被検者による操作を受け付け、
前記操作に応じて、機構制御部により、前記レーザ照射部の位置の移動及び／又は回転を制御し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記被検者の瞳孔間距離を示す情報を含む、請求項１６乃至１８の何れか一項に記載のアイウェア提供方法。
【請求項２０】
光線を出射する光源部と、
画像データを入力する画像入力部と、
入力された前記画像データに基づいた画像用光線を生成して、前記光源部からの前記画像用光線の出射制御を行う制御部と、
前記画像用光線を走査する走査ミラーと、
前記画像用光線を、前記画像データが表す画像として、利用者の眼球の網膜に投影する投影部と、を有し、
前記光源部の位置が、外部の網膜走査型検眼装置で取得されたパラメータ情報に基づき決められ、
前記パラメータ情報は、
前記網膜走査型検眼装置において、レーザ光線によって、検査用画像を前記利用者の眼球の網膜へ投影し、前記レーザ光線を前記利用者の眼球内で収束させて取得された、前記レーザ光線の収束点を中心に前記レーザ光線を照射するレーザ照射部を回転させたときの、前記回転の角度を示す角度情報を含む、網膜走査型アイウェアのためのパラメータ情報である、網膜走査型アイウェア。
【請求項２１】
前記網膜走査型検眼装置は、
前記利用者による操作を受け付ける操作受付部と、
前記操作に応じて、前記レーザ照射部の位置を移動及び／又は回転させる機構制御部と、
を有し、
前記角度情報は、
前記機構制御部によって回転された前記レーザ照射部の回転角度を示し、
前記パラメータ情報は、
前記機構制御部が前記レーザ照射部を移動させたときの、前記レーザ照射部の位置を示す位置情報を含み、
前記位置情報は、前記利用者の瞳孔間距離を示す情報を含む、請求項２０記載の網膜走査型アイウェア。
【手続補正２】
【補正対象書類名】明細書
【補正対象項目名】０００９
【補正方法】変更
【補正の内容】
【０００９】
開示の技術は、検査用画像データが記憶された記憶部と、前記検査用画像データに基づいた画像用レーザ光線を生成するレーザ光源を有し、前記画像用レーザ光線によって、被検者の眼球の網膜へ検査用画像を投影するレーザ照射部と、前記画像用レーザ光線を前記被検者の眼球内で収束させる光学部材と、前記画像用レーザ光線の収束点を中心に前記レーザ照射部を回転させたときの、前記回転の角度を示す角度情報を含む、網膜走査型アイウェアのためのパラメータ情報を取得するパラメータ取得部と、前記パラメータ情報を外部装置へ出力する出力部と、を有する網膜走査型検眼装置である。